(57)【特許請求の範囲】
【請求項１】
隣接する第１および第２壁部の境界に折曲線を設け、この折曲線に沿って前記第１および第２壁部を破断するための破断用罫線構造であって、
前記折曲線に対して斜めに交差するように前記第１および第２壁部にかけて傾斜して延び、横方向に所定間隔をもって平行に位置する複数の斜行切断部と、
隣接する前記斜行切断部の間に位置し、前記斜行切断部に対して逆向きに傾斜して延びる破止切断部と、
を備え、
前記折曲線から離れて位置する前記破止切断部の端部が、前記斜行切断部の縦方向の端部間からなる位置ズレ許容領域から離れて位置する
ことを特徴とする破断用罫線構造。
【請求項２】
３以上の壁部からなる外周壁と、この外周壁と一体または別体に設けた壁部からなり前記外周壁の開口を閉塞する蓋壁とを備え、隣接する壁部を折曲線によって区画するとともに、隣接する所定の第１および第２壁部を前記折曲線に沿って破断可能とした包装箱であって、
前記第１壁部に、前記第２壁部との境界に位置する前記折曲線上に端部が位置する第１破断手段を設けるとともに、この第１破断手段の端部から前記折曲線に沿って延びる第２破断手段を設け、
前記第２破断手段を、請求項１に記載した破断用罫線構造としたことを特徴とする包装箱。
【発明の詳細な説明】
【技術分野】
【０００１】
本発明は、紙製品の破断用罫線構造およびこの罫線構造を用いた包装箱に関するものである。
【背景技術】
【０００２】
包装箱などの紙製品は、複数の壁部により構成されている。隣接する壁部の境界には、肉厚を圧縮するように罫を入れて形成した折曲線が設けられている。また、包装箱の場合には、開封時の作業性を向上するために、外周壁を構成する壁部（端壁や側壁）と、蓋壁を構成する壁部（フラップ）との間に、折曲線に沿って破断手段を設けたものがある。
【０００３】
この破断手段としては、特許文献１に記載された所謂片ジッパーからなる破断用罫線構造が広く採用されている。この破断用罫線は、折曲線に沿ってミシン目状をなすように所定間隔をもって設けた複数の直行切断部と、この直行切断部の一端から傾斜して延びる斜行切断部とからなる。
【０００４】
しかし、特許文献１に記載の破断用罫線は、安価に大量生産することが可能な汎用機械であるフレキソグルアでの製造に適していない。即ち、フレキソグルアは、長方形状をなす原紙を一枚づつ搬送しながら、所定位置に折曲線を形成するとともに溝を打ち抜いて、各壁部を区画する。その後、引き続いて破断用罫線を部分型によって所定位置に形成する。この際、少しでも位置ズレがあると、直行切断部が折曲線上に位置しない。
【０００５】
この場合、折曲線に沿って隣接する壁部を折り曲げると、折曲線と平行な直行切断部の切断面が離間して開いた状態になる。その結果、紙製品の外観が悪くなるという問題がある。また、破断用罫線に沿った破断作業性が悪くなるうえ、最悪の場合には破断用罫線を除く意図しない方向に破断が進むという問題がある。
【０００６】
特許文献２には、破断手段として、折曲線に対して直交方向に交差するように第１および第２壁部にかけて湾曲して延びる複数の曲行切断部からなる破断用罫線構造が記載されている。また、特許文献３には、破断手段として、折曲線を境界として略横Ｖ字形状に延びる複数の斜行切断部からなる破断用罫線構造が記載されている。
【０００７】
これら特許文献２，３に記載の破断用罫線は、切断部が折曲線を境界として両側に延びるため、フレキソグルアによって製造する際の位置ズレを吸収できる。しかしながら、特許文献２，３の破断用罫線は、隣接する曲行切断部間または斜行切断部間を破断する際に、やはり意図しない方向に破断が進むという問題がある。
【０００８】
また、特許文献４には、破断手段として、折曲線に対して斜めに交差するように第１および第２壁部にかけて延びる複数の斜行切断部と、斜行切断部の両端に連続するとともに折曲線に対して平行に延びる平行切断部とからなる破断用罫線構造が記載されている。
【０００９】
この特許文献４に記載の破断用罫線は、特許文献２，３と同様に、フレキソグルアによって製造する際の位置ズレを吸収できる。しかしながら、特許文献４の破断用罫線は、第１および第２壁部を折曲線に沿って折り曲げると、平行切断部の切断面が離間して開いた状態になる。その結果、紙製品の外観が悪くなるという問題がある。
【先行技術文献】
【特許文献】
【００１０】
【特許文献１】実開昭６０−１８４８２８号公報
【特許文献２】米国特許第４５１１０４２号明細書
【特許文献３】特開平９−１９３９２５号公報
【特許文献４】米国特許第４６７６４３０号明細書
【発明の概要】
【発明が解決しようとする課題】
【００１１】
本発明は、製造時に位置ズレが生じても破断機能が損なわれないとともに、目的の方向へ確実に破断することが可能な紙製品の破断用罫線構造および包装箱を提供することを課題とするものである。
【課題を解決するための手段】
【００１２】
前記課題を解決するため、本発明の紙製品の破断用罫線構造は、隣接する第１および第２壁部の境界に折曲線を設け、この折曲線に沿って前記第１および第２壁部を破断するための破断用罫線構造であって、前記折曲線に対して斜めに交差するように前記第１および第２壁部にかけて傾斜して延び、横方向に所定間隔をもって平行に位置する複数の斜行切断部と、隣接する前記斜行切断部の間に位置し、前記斜行切断部に対して逆向きに傾斜して延びる破止切断部と、を備え、前記折曲線から離れて位置する前記破止切断部の端部が、前記斜行切断部の縦方向の端部間からなる位置ズレ許容領域から離れて位置する構成としている。
【００１３】
また、この破断用罫線構造を用いた包装箱は、３以上の壁部からなる外周壁と、この外周壁と一体または別体に設けた壁部からなり前記外周壁の開口を閉塞する蓋壁とを備え、隣接する壁部を折曲線によって区画するとともに、隣接する所定の第１および第２壁部を前記折曲線に沿って破断可能とした包装箱であって、前記第１壁部に、前記第２壁部との境界に位置する前記折曲線上に端部が位置する第１破断手段を設けるとともに、この第１破断手段の端部から前記折曲線に沿って延びる第２破断手段を設け、この第２破断手段を、前記破断用罫線構造としたものである。
【発明の効果】
【００１４】
本発明の紙製品の破断用罫線構造では、斜行切断部が折曲線を跨って第１および第２壁部にかけて延びるため、その寸法分の許容領域がある。よって、確実に折曲線上に破断用罫線を形成することができる。
【００１５】
また、破断用罫線は、折曲線に平行に延びる切断部がない。よって、この破断用罫線を採用した包装箱は、折曲線に沿って第１および第２壁部を折り曲げることで、切断面が離間して開いた状態になることはない。その結果、包装箱の外観が悪くなることはない。
【００１６】
さらに、破断用罫線に沿って第１および第２壁部を破断する際には、隣接する斜行切断部間に、逆向きに傾斜する破止切断部を設けているため、意図しない方向への破断を止めて、斜行切断部へ破断方向を修正できる。よって、確実に折曲線に沿って破断できる。
【図面の簡単な説明】
【００１７】
【図１】本発明の破断用罫線構造を採用した紙製品である包装箱のブランクを示す平面図である。
【図２】包装箱の封緘状態を示す斜視図である。
【図３】第１破断手段によって破断した第１破断状態を示す斜視図である。
【図４】第２破断手段に沿って破断する際の一例を示す斜視図である。
【図５】第２および第３破断手段によって破断した開封状態を示す斜視図である。
【図６】本発明の破断用罫線構造を採用した包装箱の変形例を示す斜視図である。
【発明を実施するための形態】
【００１８】
以下、本発明の実施の形態を図面に従って説明する。
【００１９】
図１乃至図５は、本発明の実施形態に係る破断用罫線構造を用いた紙製品である包装箱１０を示す。この包装箱１０は、図２に示すように、外周壁の壁部を構成する各一対の端壁１１Ａ，１１Ｂおよび側壁１２Ａ，１２Ｂを備え、これらの上下端縁にそれぞれ蓋壁の壁部を構成するフラップ１５Ａ，１５Ｂ〜１８Ａ，１８Ｂを連設したものである。そして、本実施形態の包装箱１０は、第１〜第３の破断用罫線２０，２６，２９を設けて図５に示すように上部を分離可能とし、そのうちの第２破断用罫線２６を、本発明の破断用罫線構造としている。
【００２０】
この包装箱１０は、表ライナおよび裏ライナの間に波状の中しんを配設した周知の段ボール紙を、周知の紙器打抜装置であるフレキソグルア（図示せず）によって図１に示す連続した一枚のブランクとして打ち抜き、所定部位を糊付けにより貼着して成形される。
【００２１】
包装箱１０のブランクは、図１に示すように、各一対の端壁１１Ａ，１１Ｂおよび側壁１２Ａ，１２Ｂが交互かつ横方向に直線的に連続するように設けられている。これらのうち、左側端部に位置する側壁１２Ａの側縁には、右側端部に位置する端壁１１Ｂに貼着するための糊代部１３が連設されている。そして、側壁１２Ａと端壁１１Ａの境界部分、端壁１１Ａと側壁１２Ｂの境界部分、側壁１２Ｂと端壁１１Ｂの境界部分、および、側壁１２Ａと糊代部１３の境界部分には、それぞれ肉厚を圧縮するように罫を入れて形成した第１折曲線１４ａ〜１４ｄが設けられている。
【００２２】
端壁１１Ａ，１１Ｂの上端縁には上側内フラップ１５Ａ，１５Ｂが連設されるとともに、側壁１２Ａ，１２Ｂの上端縁には上側外フラップ１６Ａ，１６Ｂが連設されている。同様に、端壁１１Ａ，１１Ｂの下端縁には下側内フラップ１７Ａ，１７Ｂが連設されるとともに、側壁１２Ａ，１２Ｂの下端縁には下側外フラップ１８Ａ，１８Ｂが連設されている。そして、各上側フラップ１５Ａ，１５Ｂ，１６Ａ，１６Ｂと端壁１１Ａ，１１Ｂおよび側壁１２Ａ，１２Ｂの境界部分、および、各下側フラップ１７Ａ，１７Ｂ，１８Ａ，１８Ｂと端壁１１Ａ，１１Ｂおよび側壁１２Ａ，１２Ｂの境界部分には、それぞれ前記と同様に第２折曲線１９ａ，１９ｂが設けられている。
【００２３】
本実施形態では、端壁１１Ａから両側の側壁１２Ａ，１２Ｂにかけて第１破断用罫線２０が設けられ、その両端に連続するように第２破断用罫線２６，２６が設けられ、その各端部間に位置するように第３破断用罫線２９が設けられている。
【００２４】
第１破断手段である第１破断用罫線２０は、端壁１１Ａの下側に横向きに延びるように設けた第１破断部２１ａ，２１ｂと、側壁１２Ａ，１２Ｂに斜め上向きに延びるように設けた第２破断部２３ａ，２３ｂとを備えている。端壁１１Ａの中央である第１破断部２１ａ，２１ｂの境界には、把持用端部を形成するために、非連続の横Ｈ字形状をなす始端切断部２２が設けられている。第２破断部２３ａ，２３ｂは、第１折曲線１４ａ，１４ｂ上に位置する第１破断部２１ａ，２１ｂの両側端部から、側壁１２Ａ，１２Ｂと上側外フラップ１６Ａ，１６Ｂとの境界である第２折曲線１９ａにかけて所定角度で傾斜して延びるように設けられている。なお、破断部２１ａ，２３ａは、破断方向が図中左側であり、破断部２１ｂ，２３ｂは、破断方向が図中右側である。第１破断用罫線２０は、対称に位置する直行切断部２４ａ，２４ｂと、直行切断部２４ａ，２４ｂの一端に連続する斜行切断部２５ａ，２５ｂとを備えたジッパー構造のものである。直行切断部２４ａ，２４ｂは、破断方向に沿って直線的に位置するように設けられている。斜行切断部２５ａ，２５ｂは、直行切断部２４ａ，２４ｂにおいて破断方向後側の端部から破断方向に対して逆向きで、かつ、互いに接近する方向に傾斜して設けられている。
【００２５】
第２破断手段である第２破断用罫線２６は、隣接する側壁（第１壁部）１２Ａ，１２Ｂおよび上側外フラップ（第２壁部）１６Ａ，１６Ｂを、境界である第２折曲線１９ａに沿って破断するためのものである。この第２破断用罫線２６は、第２折曲線１９ａに対して斜めに交差する複数の斜行切断部２７と、隣接する斜行切断部２７の両端間に位置する破止切断部２８ａ，２８ｂとを備えている。これら切断部２７，２８ａ，２８ｂは、いずれも第２折曲線１９ａとは平行に位置しない非平行線からなる。
【００２６】
各斜行切断部２７は、互いに所定間隔をもって平行に位置するように設けられている。また、斜行切断部２７は、側壁１２Ａ，１２Ｂから上側外フラップ１６Ａ，１６Ｂにかけて、破断方向に対して逆向きに傾斜して延びるように設けられている。言い換えれば、斜行切断部２７は、破断方向に沿って下向きに傾斜するように設けられている。この斜行切断部２７の上下端間（図１中薄墨を付した領域）は、第２破断用罫線２６を形成する際の位置ズレを吸収可能な許容領域（幅）となる。
【００２７】
破止切断部２８ａ，２８ｂは、斜行切断部２７に対して逆向きに傾斜して延びるように設けられている。即ち、破断方向に沿って上向きに傾斜するように設けられている。これら破止切断部２８ａ，２８ｂは、許容領域の外側に設けられている。また、側壁１２Ａ，１２Ｂに形成する破止切断部２８ａは、破断方向後側の端部２８ａ−１が、許容領域から離れて位置するとともに、破断方向前側の斜行切断部２７の破断方向後側の端部２７ａと縦方向に一致するように設けられている。そして、破止切断部２８ａの破断方向前側の端部２８ａ−２は、破断方向後側の斜行切断部２７の破断方向前側の端部２７ｂと横方向に一致するように設けられている。さらに、上側外フラップ１６Ａ，１６Ｂに形成する破止切断部２８ｂは、破断方向後側の端部２８ｂ−１が、破断方向前側の斜行切断部２７の破断方向後側の端部２７ａと横方向に一致するように設けられている。そして、破止切断部２８ｂの破断方向前側の端部２８ｂ−２は、許容領域から離れて位置するとともに、破断方向後側の斜行切断部２７の破断方向前側の端部２７ｂと縦方向に一致するように設けられている。
【００２８】
第３破断手段である第３破断用罫線２９は、端壁１１Ｂと上側内フラップ１５Ｂを境界である第２折曲線１９ａに沿って破断するためのものである。この第３破断用罫線２９は、互いに所定間隔をもって平行に位置する第１斜行切断部３０および第２斜行切断部３１とを備えている。これら斜行切断部３０，３１は交互に設けられ、端壁１１Ｂから上側内フラップ１５Ｂにかけて互いに逆向きに傾斜して設けられている。
【００２９】
この包装箱１０のブランクをフレキソグルアで製造する場合、まず、連続した広幅のロール状の段ボール紙が、中しんの延び方向と直交する方向に供給する。そして、外周壁（端壁１１Ａ，１１Ｂおよび側壁１２Ａ，１２Ｂ）を形成する領域と、上蓋壁（上側フラップ１５Ａ，１５Ｂ，１６Ａ，１６Ｂ）を形成する領域と、下蓋壁（下側フラップ１７Ａ，１７Ｂ，１８Ａ，１８Ｂ）を形成する領域とを区画するために、第２折曲線１９ａ，１９ｂを連続的に設けるとともに上下端縁で切断する。ついで、切断装置によって糊代部１３から端壁１１Ｂまでの寸法で切断した後、第２折曲線１９ａ，１９ｂのみを形成した矩形状のシートを１列に纏めて積み上げる。
【００３０】
次に、矩形状シートを中しんの延び方向に沿って供給し、各矩形状シートの表ライナに所定の印刷（図示せず）を施した後、中しんの延び方向と平行な第１折曲線１４ａ〜１４ｄを形成する。また、隣接する上側フラップ１５Ａ，１５Ｂ，１６Ａ，１６Ｂの間、下側フラップ１７Ａ，１７Ｂ，１８Ａ，１８Ｂの間、および、糊代部１３の上下の不要部分を切断して除去する。
【００３１】
その後、部分型を配設した打抜装置により、第１から第３の破断用罫線２０，２６，２９を形成する。この際、矩形状シートの搬送タイミングと部分型の回転タイミングとは、勿論同期されているが、搬送方向に沿った僅かな位置ズレは避けられない。しかし、本実施形態では、第２折曲線１９ａ上に沿って設ける必要がある第２および第３の破断用罫線２６，２９は、斜行切断部２７，３０，３１が第２折曲線１９ａを跨って両側の壁部にかけて延びるように構成されているため、その高さ方向の寸法分の許容領域がある。よって、確実に第２折曲線１９ａ上に第２および第３の破断用罫線２６，２９を形成することができる。なお、この許容領域内であれば、第２折曲線１９ａに対して位置ズレが生じていても、破断機能が損なわれることはない。
【００３２】
最後に、糊代部１３の表面に酢酸ビニルエマルジョン系などの接着剤を塗布し、端壁１１Ａに対して側壁１２Ａを折り曲げるとともに、側壁１２Ｂに対して端壁１１Ｂを折り曲げ、重畳した糊代部１３と端壁１１Ｂの縁とをプレスにより糊付けする。そして、この状態で所定の製造メーカに納品する。
【００３３】
製造メーカでは、まず、端壁１１Ａ，１１Ｂおよび側壁１２Ａ，１２Ｂが矩形状をなすように広げて、下側内フラップ１７Ａ，１７Ｂを内向きに折り曲げた後、下側外フラップ１８Ａ，１８Ｂを内向きに折り曲げる。そして、例えば互いに付き合わさった下側外フラップ１８Ａ，１８Ｂの先端を粘着テープで貼着することにより閉塞する。この状態で内部に商品を収容させ、同様にして上側内フラップ１５Ａ，１５Ｂを折り曲げた後、上側外フラップ１６Ａ，１６Ｂを折り曲げて、上側の開口を封緘する。
【００３４】
このように封緘した包装箱１０は、図２に示すように、各破断用罫線２０，２６，２９のうち、第１破断用罫線２０の直行切断部２４ａ，２４ｂを除き、折曲線１４ａ〜１４ｄ，１９ａ，１９ｂに対して平行に延びる切断部はない。また、第２折曲線１９ａ，１９ｂに対して平行に延びる直行切断部２４ａ，２４ｂは、第２折曲線１９ａ，１９ｂから離れて位置しているため、連続する内フラップ１５Ａ，１７Ａの折り曲げによる張力の影響は受けない。よって、封緘状態の包装箱１０は、各破断用罫線２０，２６，２９を構成する切断部の切断面が離間して開いた状態になることはない。その結果、包装箱１０の外観が悪くなることはない。
【００３５】
一方、包装箱１０に収容した商品を納品された販売業者などは、内部の商品を取り出す際に包装箱１０を開封する。この際、本実施形態の包装箱１０は、第１から第３の破断用罫線２０，２６，２９により上部を分離して開放できる。
【００３６】
具体的には、まず、第１破断用罫線２０の始端切断部２２に指を押し込んで帯状の把持用端部を把持する。そして、第１破断部２１ａは左向きに引っ張り、第１破断部２１ｂは右向きに引っ張る。これにより、図３に示すように、端壁１１Ａを第１破断部２１ａ，２１ｂに沿って破断した後、引き続いて側壁１２Ａ，１２Ｂを第２破断部２３ａ，２３ｂに沿って斜めに破断する。なお、この第１破断用罫線２０による端壁１１Ａおよび側壁１２Ａ，１２Ｂの破断は、側壁１２Ａ，１２Ｂと上側外フラップ１６Ａ，１６Ｂとの境界である第２折曲線１９ａ、具体的には、第２破断用罫線２６の端部に達することにより、停止する。
【００３７】
その後、例えば図４に示すように、第１破断用罫線２０の両端間で上側外フラップ１６Ａ，１６Ｂを折り曲げる。この折り曲げ作業は、上側外フラップ１６Ａ，１６Ｂに何ら折曲線を設けていないが、中しんの延び方向と一致するため、容易に行うことができる。そして、この状態で、上側内フラップ１５Ｂと一緒に上側外フラップ１６Ａ，１６Ｂを、端壁１１Ｂの側上向きに引っ張る。これにより、図５に示すように、第２破断用罫線２６に沿って側壁１２Ａ，１２Ｂと上側外フラップ１６Ａ，１６Ｂとを破断する。この際、隣接する斜行切断部２７，２７間の破断時には、許容領域（破断領域）から外側に外れた方向に破断が進むことがある。しかし、本発明の第２破断用罫線２６には、隣接する斜行切断部２７，２７間に、逆向きに傾斜する破止切断部２８ａ，２８ｂを設けているため、意図しない方向への破断を止めて、斜行切断部２７へ破断方向を修正できる。よって、確実に第２折曲線１９ａに沿って破断できる。
【００３８】
第２破断用罫線２６に沿った破断が完了すると、引き続いて第３破断用罫線２９に沿って端壁１１Ｂと上側内フラップ１５Ｂを破断する。そして、この第３破断用罫線２９は、逆向きに傾斜する第１斜行切断部３０と第２斜行切断部３１を交互に設けているため、上側内フラップ１５Ｂのいずれの側縁を把持して引っ張っても、確実に第２折曲線１９ａに沿って破断することができる。
【００３９】
このように、本発明の破断用罫線構造では、第２折曲線１９ａに沿って設ける第２破断用罫線２６は、斜行切断部２７が第２折曲線１９ａを跨って側壁１２ａ，１２ｂおよび上側外フラップ１６Ａ，１６Ｂにかけて延びるため、その寸法分の許容領域を形成できる。よって、確実に第２折曲線１９ａ上に第２破断用罫線２６を形成することができる。そして、この第２破断用罫線２６は、第２折曲線１９ａに対して平行に延びる切断部がない。よって、この第２破断用罫線２６を採用した包装箱１０は、第２折曲線１９ａに沿って側壁１２ａ，１２ｂおよび上側外フラップ１６Ａ，１６Ｂを折り曲げることで、切断面が離間して開いた状態になることはない。その結果、包装箱１０の外観が悪くなることはない。さらに、第２破断用罫線２６に沿って側壁１２ａ，１２ｂおよび上側外フラップ１６Ａ，１６Ｂを破断する際には、隣接する斜行切断部２７，２７間に、逆向きに傾斜する破止切断部２８ａ，２８ｂを設けているため、意図しない方向への破断を止めて、斜行切断部２７へ破断方向を修正できる。よって、確実に第２折曲線１９ａに沿って破断できる。
【００４０】
なお、本発明の紙製品の破断用罫線構造は、前記実施形態の構成に限定されるものではなく、第２折曲線１９ａに対して斜めに交差するように延び、互いに所定間隔をもって平行に位置する複数の斜行切断部２７と、隣接する斜行切断部２７，２７の両端間に位置し、斜行切断部２７に対して逆向きに傾斜して延びる破止切断部２８ａ，２８ｂと、を有する構成であればよい。
【００４１】
また、第２破断用罫線２６を設ける包装箱１０も前記実施形態の構成に限定されるものではなく、３以上の壁部からなる外周壁と、この外周壁と一体または別体に設けた壁部からなる蓋壁とを備えた構成であればよい。即ち、外周壁は、壁部を各一対の端壁１１Ａ，１１Ｂおよび側壁１２Ａ，１２Ｂで構成するものに限られず、３つの壁部で構成してもよいうえ、５以上の壁部で構成してもよい。また、蓋壁は、一体に形成したフラップ１５Ａ，１５Ｂ〜１８Ａ，１８Ｂに限られず、別体の蓋部で構成してもよい。
【００４２】
さらに、包装箱１０は、第１壁部に、第２壁部との境界に位置する折曲線上に端部が位置する第１破断用罫線２０を設け、この第１破断用罫線２０の端部から折曲線に沿って延びる第２破断用罫線２６を設ける構成であればよい。特に、第１破断用罫線２０は、前記実施形態の構成に限られず、図６に示すように、第２折曲線１９ａから半円形状をなすようにミシン目状に切断部を設けた構成であってもよい。
【００４３】
そして、本発明の破断用罫線構造を採用可能な紙製品は包装箱１０に限られず、隣接する第１および第２壁部間に折曲線を設け、この折曲線に沿って破断する紙製品であれば、いずれでも適用可能であり、同様の作用および効果を得ることができる。
【符号の説明】
【００４４】
１０…包装箱（紙製品）
１１Ａ，１１Ｂ…端壁（壁部）
１２Ａ，１２Ｂ…側壁（第１壁部）
１３…糊代部
１４ａ〜１４ｄ…第１折曲線
１５Ａ，１５Ｂ…上側内フラップ（壁部）
１６Ａ，１６Ｂ…上側外フラップ（第２壁部）
１７Ａ，１７Ｂ…下側内フラップ（壁部）
１８Ａ，１８Ｂ…下側外フラップ（壁部）
１９ａ，１９ｂ…第２折曲線
２０…第１破断用罫線（第１破断手段）
２６…第２破断用罫線（第２破断手段）
２７…斜行切断部
２８ａ，２８ｂ…破止切断部
２９…第３破断用罫線（第３破断手段）
【図１】
0005545730.tif 000002
【図２】
0005545730.tif 000003
【図３】
0005545730.tif 000004
【図４】
0005545730.tif 000005
【図５】
0005545730.tif 000006
【図６】
0005545730.tif 000007